(57)【要約】【課題】タイヤ加硫機の構造を複雑にせずに、ブラダをタイヤ幅方向において対称的に膨張させることができ、高品質なタイヤを得る、空気入りタイヤの製造方法を提供する。【解決手段】金型内に装着されたグリーンタイヤの内腔にブラダを挿入するとともに、上記ブラダ内に熱圧媒体を供給してブラダを膨張させることにより、上記ブラダをタイヤ内面に密着させて加硫を行う空気入りタイヤの製造方法である。上記グリーンタイヤのトレッド部の上記内腔側表面に、凹部又は凸部を形成するとともに、上記ブラダの上記グリーンタイヤ側表面に、凸部又は凹部を形成する。加硫前に、上記グリーンタイヤの凹部又は凸部と、上記ブラダの凸部又は凹部とを嵌合させる。【選択図】図１
2014113733.tif 000002
【特許請求の範囲】
【請求項１】
金型内に装着されたグリーンタイヤの内腔にブラダを挿入するとともに、前記ブラダ内に熱圧媒体を供給してブラダを膨張させることにより、前記ブラダをタイヤ内面に密着させて加硫を行う空気入りタイヤの製造方法であって、
前記グリーンタイヤのトレッド部の前記内腔側表面に、凹部又は凸部を形成するとともに、前記ブラダの前記グリーンタイヤ側表面に、凸部又は凹部を形成し、
加硫前に、前記グリーンタイヤの凹部又は凸部と、前記ブラダの凸部又は凹部とを嵌合させる、空気入りタイヤの製造方法。
【請求項２】
前記グリーンタイヤの凹部又は凸部と、前記ブラダの凸部又は凹部とを、それぞれタイヤ周方向に連続して形成する、請求項１に記載の空気入りタイヤの製造方法。
【請求項３】
前記グリーンタイヤのトレッド部の前記内腔側表面には凸部を形成するとともに、前記ブラダの前記グリーンタイヤ側表面には凹部を形成する、請求項１又は２に記載の空気入りタイヤの製造方法。
【請求項４】
グリーンタイヤに形成する凸部のタイヤ幅方向寸法を５．０ｍｍから２０．０ｍｍとする、請求項３に記載の空気入りタイヤの製造方法。
【請求項５】
グリーンタイヤに形成する凸部のタイヤ径方向寸法を１．０ｍｍ以上３．０ｍｍ以下とする、請求項３又は４に記載の空気入りタイヤの製造方法。
【請求項６】
前記グリーンタイヤの凹部又は凸部と、前記ブラダの凸部又は凹部とを、それぞれタイヤ幅方向の中央部に形成する、請求項１から５のいずれか１項に記載の空気入りタイヤの製造方法。
【請求項７】
請求項１から６のいずれか１項に記載の製造方法により得られた空気入りタイヤ。
【発明の詳細な説明】
【技術分野】
【０００１】
本発明は、ブラダをグリーンタイヤ内面に密着させて加硫を行う、空気入りタイヤの製造方法に関する。また、本発明は、上記製造方法により得られた空気入りタイヤに関する。
【背景技術】
【０００２】
従来、空気入りタイヤの加硫方法としては、金型内に装着されたグリーンタイヤの内腔にブラダを挿入し、次いでブラダ内に熱圧媒体を供給してブラダを膨張させる方法が知られている。また、この方法に使用する加硫機としては、例えば、ブラダの両端側を外面からガイドする一対のガイドリングを備え、これらのガイドリングの形状が限定され、かつそれらが近接配置されたものが知られている（例えば、特許文献１参照）。
【先行技術文献】
【特許文献】
【０００３】
【特許文献１】特開平９−３８９７７号公報
【発明の概要】
【発明が解決しようとする課題】
【０００４】
上記特許文献１の加硫機を用いた場合には、ブラダをタイヤ幅方向において対称的に膨張させることができ、高品質なタイヤを得ることができる。しかしながら、上型及び下型に均等にブラダを接触させるために、ブラダ内に一対のガイドリングを設けなければならず、タイヤ加硫機の構造が複雑である。
【０００５】
本発明は、上記事情に鑑みてなされたものであって、タイヤ加硫機の構造を複雑にせずに、ブラダをタイヤ幅方向において対称的に膨張させることができ、ひいては高品質なタイヤを得ることのできる、空気入りタイヤの製造方法、及びこの方法により得られた空気入りタイヤを提供することを目的とする。
【課題を解決するための手段】
【０００６】
本発明に係る空気入りタイヤの製造方法は、金型内に装着されたグリーンタイヤの内腔にブラダを挿入するとともに、上記ブラダ内に熱圧媒体を供給してブラダを膨張させることにより、上記ブラダをタイヤ内面に密着させて加硫を行う方法である。加硫を行うにあたり、上記グリーンタイヤのトレッド部の上記内腔側表面には、凹部又は凸部を形成するとともに、上記ブラダの上記グリーンタイヤ側表面には、凸部又は凹部を形成する。次いで、上記グリーンタイヤの凹部又は凸部と、上記ブラダの凸部又は凹部とを嵌合させる。
【０００７】
また、本発明に係る空気入りタイヤは、上記の製造方法により得られた空気入りタイヤである。
【発明の効果】
【０００８】
本発明に係る空気入りタイヤの製造方法によれば、加硫前に、グリーンタイヤとブラダとの位置合わせが高精度に実現されるため、加硫時にタイヤの熱履歴が均一化され、製品タイヤの転がり抵抗、耐久性及びユニフォミティを向上させることができる。
【図面の簡単な説明】
【０００９】
【図１】図１は、本発明の実施の形態に係る空気入りタイヤの製造方法において用いられる、加硫機とグリーンタイヤとの関係を示す要部断面図である。
【図２】図２は、図１中、ブラダとグリーンタイヤとを抜粋して示す断面図である。
【発明を実施するための形態】
【００１０】
以下に、本発明に係る空気入りタイヤの製造方法の実施の形態（以下に示す、基本形態及び付加的形態１から５）を、図面に基づいて詳細に説明する。なお、これらの実施の形態は、本発明を限定するものではない。また、上記実施の形態の構成要素には、当業者が置換可能かつ容易なもの、或いは実質的に同一のものが含まれる。さらに、上記実施の形態に含まれる各種形態は、当業者が自明の範囲内で任意に組み合わせることができる。
【００１１】
［基本形態］
以下に、本発明に係る空気入りタイヤの製造方法について、その基本形態を説明する。以下では、当該製造方法に用いる、加硫機の構成及びグリーンタイヤの構成を説明した上で、当該製造方法における、加硫機の動作について説明する。
【００１２】
図１は、本発明に係る空気入りタイヤの製造方法に用いられる加硫機１０とグリーンタイヤ２０との関係を示す要部断面図である。実際には、同図に示す一点鎖線Ｌに対して左右対称に、その右側にも左側と同じ構成が存在する。
【００１３】
以下の説明において、タイヤ径方向とは、図１におけるグリーンタイヤ２０の回転軸（図示せず）と直交する方向（同図の水平方向）をいい、タイヤ径方向内側とはタイヤ径方向において回転軸に向かう側、タイヤ径方向外側とはタイヤ径方向において回転軸から離れる側をいう。また、タイヤ周方向とは、上記回転軸を中心軸とする周り方向をいう。さらに、タイヤ幅方向とは、上記回転軸と平行な方向（同図の鉛直方向）をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。なお、タイヤ赤道面（タイヤ赤道線）ＣＬとは、グリーンタイヤ２０の回転軸に直交するとともに、グリーンタイヤ２０のタイヤ幅の中心を通る平面（線）である。
【００１４】
（加硫機）
本実施の形態の空気入りタイヤの製造方法においては、図１に示すように、加硫機１０を用いる。加硫機１０は、金型１２と、金型１２の開閉を行うための開閉機構１４と、金型１２内でグリーンタイヤ２０を膨らませるブラダ１６とを備える。
【００１５】
金型１２は、第１のセクタ１２ａと、加硫機１０内で第１のセクタ１２ａのタイヤ径方向内側に配置される第２のセクタ１２ｂと、加硫機１０内で第１のセクタ１２ａのタイヤ径方向内側に配置されるとともに（後述するグリーンタイヤ接地時に）タイヤ赤道面ＣＬに対して第２のセクタ１２ｂと対称的に配置される第３のセクタ１２ｃとから構成される。
【００１６】
金型１２を構成する第１から第３のセクタ１２ａから１２ｃの各表面は、以下のように構成されている。
【００１７】
第１のセクタ１２ａのタイヤ径方向内側表面のうち、そのタイヤ幅方向中央部はグリーンタイヤ２０にトレッドパターンを付すための模様ＴＰが形成された表面となっている。また、上記タイヤ径方向内側表面のうち、上記タイヤ幅方向中央部のタイヤ幅方向両外側部は第２のセクタ１２ｂ又は第３のセクタ１２ｃとそれぞれ接触可能な表面となっている。さらに、第１のセクタ１２ａのタイヤ径方向外側表面は、開閉機構１４に対して相対的に摺動可能な表面となっている。
【００１８】
第２のセクタ１２ｂのタイヤ幅方向内側表面は、加硫時にグリーンタイヤ２０の一方のビード部からサイドウォール部にかけての領域と接触し、これらの領域を所望形状とするような表面となっている。また、第２のセクタ１２ｂのタイヤ幅方向外側表面は、開閉機構１４に連結されている。さらに、第２のセクタ１２ｂのタイヤ径方向外側表面は、第１のセクタ１２ａと接触可能な表面となっている。
【００１９】
第３のセクタ１２ｃのタイヤ幅方向内側表面は、加硫時にグリーンタイヤ２０の他方のビード部からサイドウォール部にかけての領域と接触し、これらの領域を所望形状とするような表面となっている。また、第３のセクタ１２ｃのタイヤ幅方向外側表面は、加硫機１０内に固定されている。さらに、第３のセクタ１２ｃのタイヤ径方向外側表面は、第１のセクタ１２ａと接触可能な表面となっている。
【００２０】
開閉機構１４は、上記第１から第３のセクタ１２ａから１２ｃを、図１に示す連結していない状態（開放状態）から図示しない連結した状態（閉鎖状態）まで、及び、閉鎖状態から開放状態まで、案内する、セクタ閉鎖・開放用部材１４ａと、セクタ閉鎖・開放用部材１４ａのタイヤ幅方向内側表面の一部から突出し、第２のセクタ１２ｂのタイヤ幅方向外側表面に連結された支柱１４ｂとから構成される。
【００２１】
セクタ閉鎖・開放用部材１４ａは、タイヤ幅方向（同図の鉛直方向）に移動する部材である。セクタ閉鎖・開放用部材１４ａのタイヤ幅方向での移動は、例えば（図示しない）油圧シリンダを構成するピストンを、セクタ閉鎖・開放用部材１４ａに連結することで実現することができる。セクタ閉鎖・開放用部材１４ａは、タイヤ幅方向内側表面が、図１に示すように、Ｖ字型に屈曲している。このタイヤ幅方向内側表面のうち、同図において水平方向に延在する表面部分（水平面部分）は、第１のセクタ１２ａ及び第２のセクタ１２ｂの、セクタ閉鎖状態での位置を定める表面である。また、上記タイヤ幅方向内側表面のうち、上記水平面部分から（図１においては鈍角に）屈曲した表面部分（斜面部分）は、第１のセクタ１２ａのタイヤ径方向の動作を制御する表面である。
【００２２】
支柱１４ｂは、セクタ閉鎖・開放用部材１４ａの（図示しない）内部から、上記水平面部分を超えてタイヤ幅方向内側に突出する部材である。支柱１４ｂのタイヤ幅方向内側表面は、第２のセクタ１２ｂのタイヤ幅方向外側表面に連結されている。支柱１４ｂは、そのタイヤ幅方向内側表面が図１に示す位置からセクタ閉鎖・開放用部材１４ａの上記水平面部分と一致する位置まで移動するように、セクタ閉鎖・開放用部材１４ａに対して相対的に移動可能である。
【００２３】
ブラダ１６は、金型１２内に装着された（後述する）グリーンタイヤ２０の内腔に挿入され、その内側に熱圧媒体を供給して膨張させることにより、タイヤ内面に密着させて加硫を行うために用いられる、加硫機の構成部材である。ブラダ１６は、図１に示す一点鎖線Ｌに対して左右対称に、その右側にも左側と同じ構成を有する。ブラダ１６のグリーンタイヤ２０側の表面には、凹部又は凸部が形成されている。
【００２４】
ブラダ１６へ予め凹部又は凸部を形成する態様としては、例えば、ブラダ１６に形成する凹部又は凸部に対応する、所望の凸部又は凹部が形成されたブラダ−成形用金型内にゴム材料を充填し、これを所定時間加熱することにより製造することができる。
【００２５】
なお、ブラダ１６のグリーンタイヤ２０側表面（タイヤ径方向外側表面）へ予め凹部又は凸部を形成する場合には、これら凹部又は凸部のタイヤ幅方向位置に対応する、ブラダ１６のタイヤ径方向内側表面に、凸部又は凹部を形成することが好ましい。例えば、図１に示す例では、ブラダ１６のタイヤ径方向外側表面に３つの凹部が形成されているのに対し、これら３つの凹部のタイヤ幅方向位置に対応する、ブラダ１６のタイヤ径方向内側表面には、３つの凸部が形成されている。このような構成によれば、ブラダ１６の厚みをタイヤ幅方向において均一にすることができるため、加硫時におけるブラダの局所的な伸びを防止することができ、ひいてはブラダ１６の耐久性を向上させることができる。
【００２６】
（グリーンタイヤ）
本実施の形態の空気入りタイヤの製造方法は、製品タイヤとして、乗用車用タイヤ、二輪車用タイヤ、トラック・バス用タイヤ、航空機用タイヤ、建設車輌用タイヤ、産業車輌用タイヤ、農業機械用タイヤ及び新交通用タイヤ、並びにその他のタイヤを想定した、空気入りタイヤの製造方法である。このため、本実施の形態において用いられるグリーンタイヤは、これらの様々な製品タイヤ用のグリーンタイヤであるため、多種多様な形状とすることができる。本実施の形態において用いられるグリーンタイヤには、加硫前のグリーンタイヤ成型工程においてその内腔側表面に形成された凹部又は凸部が存在する。
【００２７】
加硫前のグリーンタイヤ成型工程において、グリーンタイヤ２０のタイヤ径方向内側表面に凹部を形成する態様としては、グリーンタイヤ２０の成型ドラムに予め上記凹部に対応する凸部を設ける態様を採用することができる。
【００２８】
また、加硫前のグリーンタイヤ成型工程において、グリーンタイヤ２０のタイヤ径方向内側表面に凸部を形成する態様としては、成型後のグリーンタイヤ２０の内腔側表面に上記凸部となるゴム層を貼る態様を採用することができる。上記凸部の材料としては、例えば、インナーライナに使用する材料を用いることができる。
【００２９】
（加硫機の動作）
次に、上記構成の加硫機１０及びグリーンタイヤ２０を用いた場合の、加硫機１０の動作について説明する。
【００３０】
まず、図１に示すように、第１、第２及び第３のセクタ１２ａ、１２ｂ、１２ｃを、それぞれ他のセクタと連結していない状態（開放状態）とし、第２及び第３のセクタ１２ｂ、１２ｃに、それぞれビード部が当接するようにグリーンタイヤ２０をセットする。
【００３１】
次に、第２及び第３のセクタ１２ｂ、１２ｃにセットされたグリーンタイヤ２０の内腔に、ブラダ１６を挿入する。ブラダ１６の挿入に先立ち、グリーンタイヤ２０のトレッド部の内腔側表面（タイヤ径方向内側表面）には、上述のとおり、凹部又は凸部を形成しておく。また、ブラダ１６のグリーンタイヤ側表面（タイヤ径方向外側表面）には、上述のとおり、凸部又は凹部を形成しておく。そして、グリーンタイヤ２０のタイヤ径方向内側表面の所定位置に、ブラダ１６のタイヤ径方向外側表面の所定位置を接触させる。これにより、ブラダ１６のタイヤ赤道面付近の領域が、対応するグリーンタイヤ２０のトレッド部に一致し、所定の位置合わせ（センタリング）が行われる。このセンタリングの具体的態様は、以下のとおりである。
【００３２】
図２は、図１中、ブラダ１６とグリーンタイヤ２０とを抜粋して示す断面図である。図２に示す例は、グリーンタイヤ２０のトレッド部の内腔側表面には予め３つの凸部２０ａ、２０ｂ、２０ｃを形成し、ブラダ１６のグリーンタイヤ側表面には予め３つの凹部１６ａ、１６ｂ、１６ｃを形成した例である。
【００３３】
図２に示す例では、ブラダ１６のグリーンタイヤ側表面に形成された各凹部１６ａ、１６ｂ、１６ｃを、それぞれ、グリーンタイヤ２０のトレッド部の内腔側表面に形成された各凸部２０ａ、２０ｂ、２０ｃと嵌合させることにより、グリーンタイヤ２０に対してブラダ１６のセンタリングを行う。
【００３４】
センタリングは、様々な態様で行うことができる、例えば、ブラダ１６の内腔にガスを充填して膨らませて、グリーンタイヤ２０の凸部２０ａ、２０ｂ、２０ｃと、ブラダ１６の凹部１６ａ、１６ｂ、１６ｃをそれぞれ嵌合させる態様で行うことができる。
【００３５】
センタリングが完了したら、第１のセクタ１２ａを第２及び第３のセクタ１２ｂ、１２ｃに接触させて、金型を閉鎖状態とする。即ち、図１に示す加硫機１０において、セクタ閉鎖・開放用部材１４ａを同図の下方に押し下げる。
【００３６】
上記押し下げ操作は、セクタ閉鎖・開放用部材１４ａの上記水平面部分と、第１及び第２のセクタ１２ａ、１２ｂのタイヤ幅方向外側表面とがそれぞれ当接するまでの前段階と、第２のセクタ１２ｂのタイヤ幅方向外側表面から第３のセクタ１２ｃのタイヤ幅方向外側表面までの距離が第１のセクタ１２ａのタイヤ幅方向長さと等しくなるまでの後段階とからなる。
【００３７】
上記前段階においては、セクタ閉鎖・開放用部材１４ａがタイヤ幅方向内側に押し下げられる。これにより、支柱１４ｂがセクタ閉鎖・開放用部材１４ａの内部に徐々に収容されていくとともに、セクタ閉鎖・開放用部材１４ａの上記水平面部分と第２のセクタ１２ｂとの間のタイヤ幅方向距離が徐々に小さくなる。
【００３８】
また、上記前段階においては、セクタ閉鎖・開放用部材１４ａの上記斜面部分が、第１のセクタ１２ａのタイヤ径方向外側表面上を、当該表面に対してタイヤ幅方向内側に摺動する。これにより、第１のセクタ１２ａはタイヤ径方向内側に押し込まれることとなり、第１のセクタ１２ａと第２のセクタ１２ｂとのタイヤ径方向距離が徐々に小さくなる。
【００３９】
その結果、セクタ閉鎖・開放用部材１４ａのタイヤ幅方向内側表面の上記水平面部分が第１のセクタ１２ａ及び第２のセクタ１２ｂのタイヤ幅方向外側表面とそれぞれ当接するとともに、第１のセクタ１２ａのタイヤ径方向内側表面の一部（図１では上側部）と、第２のセクタ１２ｂのタイヤ径方向外側表面とが当接する。
【００４０】
次に、上記後段階においては、セクタ閉鎖・開放用部材１４ａが、当接した状態の第１のセクタ１２ａと第２のセクタ１２ｂとをタイヤ幅方向内側に押し下げる。これにより、第２のセクタ１２ｂと、加硫機１０内で固定されている第３のセクタ１２ｃとの距離が、徐々に小さくなる。その結果、第１のセクタ１２ａのタイヤ径方向内側表面の他部（図１では下側部）と、第３のセクタ１２ｃのタイヤ径方向外側表面とが当接し、金型１２が閉鎖状態となる。
【００４１】
金型１２が閉鎖状態となったら、従来どおり、ブラダ１６内に熱圧媒体を供給し、ブラダ１６を膨張させることにより加硫を行う。そして、加硫終了後には、金型１２を開放状態から閉鎖状態とした上記操作を逆に行うことで、金型１２を閉鎖状態から開放状態とする。
【００４２】
以上のように、加硫前に、グリーンタイヤ２０のトレッド部の内腔側表面に形成した凹部又は凸部と、ブラダ１６のグリーンタイヤ側表面に形成した凸部又は凹部とを嵌合させ、次いで加硫を行うことで、グリーンタイヤ２０に対するブラダ１６のセンタリングの精度が向上する。このため、グリーンタイヤ２０とブラダ１６との接触状態があらゆる接触箇所においてより均一化されることから、あらゆる箇所におけるグリーンタイヤ２０の加硫時の熱履歴がより均一化される。従って、加硫後のタイヤが部分的に過加硫となったり、部分的に未加硫となったりすることが防止され、その結果、転がり抵抗、耐久性及びユニフォミティが向上した、高品質な空気入りタイヤを得ることができる。
【００４３】
なお、本実施形態の空気入りタイヤの製造方法中、加硫以外の工程（タイヤ材料の混合工程、タイヤ材料の加工工程、グリーンタイヤの成型工程及び加硫後の検査工程等）については、従来の空気入りタイヤの製造方法において用いられている各工程を採用することができる。
【００４４】
[付加的形態]
次に、本発明に係る空気入りタイヤの製造方法の上記基本形態に対して、任意選択的に実施可能な、付加的形態１から５を説明する。
【００４５】
（付加的形態１）
本実施の形態のグリーンタイヤの製造方法においては、グリーンタイヤ２０の凹部又は凸部と、ブラダ１６の凸部又は凹部とを、それぞれ、タイヤ周方向に連続して形成することが好ましい。このような構成では、加硫前に行うグリーンタイヤ２０に対するブラダ１６のセンタリングの精度がさらに向上する。その結果、転がり抵抗、耐久性及びユニフォミティがさらに向上した、より高品質な空気入りタイヤを得ることができる。
【００４６】
（付加的形態２）
本実施の形態のグリーンタイヤの製造方法においては、グリーンタイヤ２０のトレッド部の内腔側表面には凸部を形成するとともに、ブラダ１６のグリーンタイヤ側表面には凹部を形成することが好ましい。空気入りタイヤを負荷状態で転動させると、接地するトレッド部が路面の凹凸によって振動し、この振動がタイヤ内部の空気を振動させて空洞共鳴音が生じる。上記構成では、空気入りタイヤ内に凸部が形成されているので、タイヤ内部の空気量(空洞容積)が減って振動が緩和されるという理由から、上記空洞共鳴音が幾分打ち消され、その結果空洞共鳴音を緩和することができる。
【００４７】
（付加的形態３）
本実施の形態のグリーンタイヤの製造方法においては、グリーンタイヤ２０に形成する凸部のタイヤ幅方向寸法を５．０[ｍｍ]から２０．０[ｍｍ]とすることが好ましい。ここで、グリーンタイヤ２０の凸部とは、グリーンタイヤ２０を金型１２の第２及び第３のセクタ（１２ｂ、１２ｃ）の所定位置にセットし、グリーンタイヤ２０にブラダ１６を当接して金型２０（第１から第３のセクタ１２ａ、１２ｂ、１２ｃ）を閉鎖状態とした状況下(以下、単に「加硫状況下」と称することがある)における、グリーンタイヤ２０に凸部を形成しない場合のグリーンタイヤ２０の内腔側表面の外輪郭線よりも、タイヤ径方向内側に突出した部分をいう。また、上記凸部のタイヤ幅方向寸法とは、上記凸部のタイヤ幅方向に測定した最大幅をいう。
【００４８】
グリーンタイヤ２０に形成する凸部のタイヤ幅方向寸法を５．０[ｍｍ]以上とすることで、加硫前に行うグリーンタイヤ２０に対するブラダ１６のセンタリングの精度をさらに向上させることができる。このため、転がり抵抗、耐久性及びユニフォミティがさらに向上した、より高品質な空気入りタイヤを得ることができる。一方、グリーンタイヤ２０に形成する凸部のタイヤ幅方向寸法を２０．０[ｍｍ]以下とすることで、グリータイヤ２０の凸部と嵌合させるブラダ１６の凹部のタイヤ幅方向寸法が過大とならない。このため、加硫時のブラダ１６の変形を抑制することができ、ブラダ１６の耐久性を向上させることができる。
【００４９】
なお、このように、グリーンタイヤ２０に凸部を形成する場合には、ブラダ１６のグリーンタイヤ２０側表面には、上記凸部と嵌合する凹部を形成しなければならない。このため、上記のようにグリーンタイヤ２０に形成する凸部のタイヤ幅方向寸法を５．０[ｍｍ]から２０．０[ｍｍ]とする場合には、ブラダ１６の凹部のタイヤ幅方向寸法も５．０[ｍｍ]から２０．０[ｍｍ]とする。
【００５０】
また、グリーンタイヤ２０に形成する凸部のタイヤ幅方向寸法を１０[ｍｍ]から１５[ｍｍ]とすると、上記効果が、それぞれ、さらに高いレベルで奏される。
【００５１】
（付加的形態４）
本実施の形態のグリーンタイヤの製造方法においては、グリーンタイヤ２０に形成する凸部のタイヤ径方向寸法を１．０[ｍｍ]から３．０[ｍｍ]とすることが好ましい。ここで、グリーンタイヤ２０の凸部とは、上述のとおり、加硫状況下において、グリーンタイヤ２０に凸部を形成しない場合のグリーンタイヤ２０の内腔側表面の外輪郭線よりも、タイヤ径方向内側に突出した部分をいう。また、上記凸部のタイヤ径方向寸法とは、上記凸部のタイヤ径方向に測定した最大幅をいう。
【００５２】
グリーンタイヤ２０に形成する凸部のタイヤ径方向寸法を１．０[ｍｍ]以上とすることで、加硫前に行うグリーンタイヤ２０に対するブラダ１６のセンタリングの精度をさらに向上させることができる。このため、転がり抵抗、耐久性及びユニフォミティがさらに向上した、より高品質な空気入りタイヤを得ることができる。一方、グリーンタイヤ２０に形成する凸部のタイヤ径方向寸法を３．０[ｍｍ]以下とすることで、グリータイヤ２０の凸部と嵌合させるブラダ１６の凹部のタイヤ径方向寸法が過大とならない。このため、ブラダ１６の厚みを過度に加硫時のブラダ１６の変形を抑制することができ、ブラダ１６の耐久性を向上させることができる。
【００５３】
なお、このように、グリーンタイヤ２０に凸部を形成する場合には、ブラダ１６のグリーンタイヤ２０側表面には、上記凸部と嵌合する凹部を形成しなければならない。このため、上記のようにグリーンタイヤ２０に形成する凸部のタイヤ径方向寸法を１．０[ｍｍ]から３．０[ｍｍ]とする場合には、ブラダ１６の凹部のタイヤ径方向寸法も１．０[ｍｍ]から３．０[ｍｍ]とする。
【００５４】
また、グリーンタイヤ２０に形成する凸部のタイヤ径方向寸法を１．５[ｍｍ]から２．５[ｍｍ]とすると、上記効果が、それぞれ、さらに高いレベルで奏される。
【００５５】
（付加的形態５）
本実施の形態のグリーンタイヤの製造方法においては、グリーンタイヤ２０の凹部又は凸部と、ブラダ１６の凸部又は凹部とを、それぞれタイヤ幅方向の中央部に形成することが好ましい。ここで、タイヤ幅方向の中央部とは、以下のように規定される領域をいう。
【００５６】
即ち、上記中央部とは、加硫前のグリーンタイヤ２０でみた場合に、加硫状況下における、タイヤ赤道面を中心とした、グリーンタイヤ２０の幅方向最大寸法に対して０[％]から５０[％]の範囲をいう。
【００５７】
また、このようにグリーンタイヤの所定箇所（中央部）に凹部又は凸部を形成して製造された空気入りタイヤでは、製品タイヤを正規リムに組んで、かつ正規内圧を充填するとともに、正規荷重の７０[％]をかけた状況下において、タイヤ赤道面を中心とした、トレッド面の路面との接地領域のタイヤ幅方向最大寸法に対して０[％]から５０[％]の範囲に凹部又は凸部が形成されている。
【００５８】
なお、正規リムとは、ＪＡＴＭＡに規定される「標準リム」、ＴＲＡに規定される「Design Rim」、あるいはＥＴＲＴＯに規定される「Measuring Rim」をいう。また、正規内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。さらに、正規荷重とは、ＪＡＴＭＡで規定する「最大負荷能力」、ＴＲＡで規定する「TIRE LOAD LIMITS AT VARIOUS COLD INFLATION PRESSURES」に記載の最大値、あるいはＥＴＲＴＯで規定する「LOAD CAPACITY」をいう。
【００５９】
グリーンタイヤ２０の凹部又は凸部を、上記のように規定される、タイヤ幅方向の中央部に形成する場合には、グリーンタイヤ２０の凹部又は凸部と、凸部又は凹部が嵌合するブラダ１６についても、上記凸部又は凹部の形成領域はタイヤ幅方向において所定の中央部に限定される。換言すれば、ブラダ１６への凸部又は凹部の形成領域は、ブラダ１６の赤道面を中心にそのタイヤ幅方向の比較的狭い領域に限られる。従って、このような構成によれば、１つのブラダで異なるサイズのタイヤを製造可能である。
【００６０】
以上に示す本実施の形態（基本形態、および基本形態を含み付加的形態１から５のいずれかを任意選択的に付加した形態）に従って製造した空気入りタイヤは、いずれも、グリーンタイヤ２０に対するブラダ１６のセンタリングの精度を向上させて得られたものである。即ち、上記空気入りタイヤは、グリーンタイヤ２０とブラダ１６との接触状態をあらゆる接触箇所においてより均一化し、あらゆる箇所におけるグリーンタイヤ２０の加硫時の熱履歴をより均一化して得られたものである。従って、上記空気入りタイヤは、過加硫部分や未加硫部分を含まず、その結果、優れた転がり抵抗、耐久性及びユニフォミティを発揮する、高品質な空気入りタイヤである。
【実施例】
【００６１】
まず、表１に示す諸条件（本願の「発明を実施するための形態」の欄において説明した、グリーンタイヤのトレッドの内腔側表面における凹部又は凸部の形成の有無、ブラダのグリーンタイヤ側表面における凸部又は凹部の形成の有無、グリーンタイヤに凸部を形成した場合の上記凸部の幅及び深さ、及び凸部又は凹部を形成したタイヤ幅方向配置箇所）に従い、従来例１及び実施例１から９の空気入りタイヤを作製した。
【００６２】
従来例１及び実施例１から９の全てのタイヤについて、タイヤサイズは１９５／６５Ｒ１５  ９１Ｈとし、グリーンタイヤの凹部又は凸部と、ブラダの凸部又は凹部とは、それぞれタイヤ周方向に連続して形成した。また、実施例８、実施例９の中央部Ａ、中央部Ｂは、加硫状況下における、タイヤ赤道面を中心にグリーンタイヤのタイヤ幅方向最大寸法に対して、それぞれ、２０[％]、４０[％]の範囲に凸部を設けたことを示す。
【００６３】
【表１】
2014113733.tif 000003
【００６４】
以上のよう作製した、従来例１及び実施例１から９の全てのタイヤについて、センタリング状況を測定するとともに、転がり抵抗、耐久性及びユニフォミティ、並びに空洞共鳴音に関する性能試験を行った。これらの結果を表２に示す。
【００６５】
（センタリング状況）
センタリング状況は、加硫状況下で、グリーンタイヤのクラウンセンタとブラダーセンタとの間のタイヤ幅方向のずれ[ｍｍ]を計測した。
【００６６】
（転がり抵抗）
転がり抵抗は、ＩＳＯの規定に準拠して、転がり抵抗の値を測定した。そして、この測定結果に基づいて従来例を基準（１００）とした指数評価を行った。この評価は、指数が大きいほど、転がり抵抗が小さいことを示す。
【００６７】
（耐久性）
耐久性は、空気圧を１２０[ｋＰａ]とするとともに負荷を７．２４[ｋＮ]とし、ドラム式試験機にて、速度８１[ｋｍ]で８０時間走行した際の、タイヤ外表面における故障発生箇所の個数を観察した。そして、この観察結果に基づいて従来例を基準（１００）とした指数評価を行った。この評価は、指数が大きいほど、耐久性が高いことを示す。
【００６８】
（ユニフォミティ）
ユニフォミティは、ＪＡＳＯの規定に準拠して、コニシティの値を測定した。そして、この測定結果に基づいて従来例を基準（１００）とした指数評価を行った。この評価は、指数が大きいほど、ユニフォミティが優れていることを示す。
【００６９】
（空洞共鳴音）
各タイヤを、サイズが１５ｘ６．５Ｊのアルミホイールに組付け、２０００[cc]のセダンタイプの試験車輌に装着して、走行時の音圧レベル（２００[Ｈｚ]から２５０[Ｈｚ]帯のピーク音圧レベル[ｄＢ]）を測定した。そして、この測定結果に基づいて従来例を基準（１００）とした指数評価を行った。この評価は、指数が大きいほど、空洞共鳴音が小さいことを示す。
【００７０】
【表２】
2014113733.tif 000004
【００７１】
表２によれば、本発明の技術的範囲に属する（加硫前に、グリーンタイヤの凹部又は凸部と、ブラダの凸部又は凹部とを嵌合させて得られた）実施例１から実施例９の空気入りタイヤについては、いずれも、本発明の技術的範囲に属しない、従来例１の空気入りタイヤよりも、総合的に性能が高いことが判る。
【００７２】
また、実施例１から実施例９の各空気入りタイヤを比較すると、加硫前に、グリーンタイヤの凹部と、ブラダの凸部とを嵌合させて得られた実施例１の空気入りタイヤに比べて、グリーンタイヤのトレッド部の内腔側表面には凸部を形成するとともに、ブラダの上記グリーンタイヤ側表面には凹部を形成して得られた実施例２から実施例９の空気入りタイヤは、総合的に性能が高いことが判る。
【００７３】
さらに、実施例２で得られた空気入りタイヤに比べて、グリーンタイヤに形成する凸部のタイヤ幅方向寸法、タイヤ径方向寸法及び凸部のタイヤ幅方向配置箇所の少なくともいずれかを好適に規定して得られた、実施例３から実施例９の空気入りタイヤは、総合的に性能が高いことが判る。
【００７４】
本発明は以下の態様を包含する。
【００７５】
（１）金型内に装着されたグリーンタイヤの内腔にブラダを挿入するとともに、上記ブラダ内に熱圧媒体を供給してブラダを膨張させることにより、上記ブラダをタイヤ内面に密着させて加硫を行う空気入りタイヤの製造方法であって、
上記グリーンタイヤのトレッド部の上記内腔側表面に、凹部又は凸部を形成するとともに、上記ブラダの上記グリーンタイヤ側表面に、凸部又は凹部を形成し、
加硫前に、上記グリーンタイヤの凹部又は凸部と、上記ブラダの凸部又は凹部とを嵌合させる、空気入りタイヤの製造方法。
【００７６】
（２）上記グリーンタイヤの凹部又は凸部と、上記ブラダの凸部又は凹部とを、それぞれタイヤ周方向に連続して形成する、（１）に記載の空気入りタイヤの製造方法。
【００７７】
（３）上記グリーンタイヤのトレッド部の上記内腔側表面には凸部を形成するとともに、上記ブラダの上記グリーンタイヤ側表面には凹部を形成する、（１）又は（２）に記載の空気入りタイヤの製造方法。
【００７８】
（４）グリーンタイヤに形成する凸部のタイヤ幅方向寸法を５．０ｍｍから２０．０ｍｍとする、（３）に記載の空気入りタイヤの製造方法。
【００７９】
（５）グリーンタイヤに形成する凸部のタイヤ径方向寸法を１．０ｍｍ以上３．０ｍｍ以下とする、（３）又は（４）に記載の空気入りタイヤの製造方法。
【００８０】
（６）上記グリーンタイヤの凹部又は凸部と、上記ブラダの凸部又は凹部とを、それぞれタイヤ幅方向の中央部に形成する、（１）から（５）のいずれか１つに記載の空気入りタイヤの製造方法。
【００８１】
（７）（１）から（６）のいずれか１つに記載の製造方法により得られた空気入りタイヤ。
【符号の説明】
【００８２】
１０    加硫機
１２    金型
１２ａ    第１のセクタ
１２ｂ    第２のセクタ
１２ｃ    第３のセクタ
１４    開閉機構１４
１４ａ    セクタ閉鎖・開放用部材
１４ｂ    支柱
１６    ブラダ
１６ａ、１６ｂ、１６ｃ    凹部
２０    グリーンタイヤ
２０ａ、２０ｂ、２０ｃ    凸部
ＣＬ    タイヤ赤道面（タイヤ赤道線）
Ｌ    一点鎖線
【図１】
2014113733.tif 000005
【図２】
2014113733.tif 000006